(57)【要約】【課題】耐久性および静粛性の高いスイッチを提供すること。【解決手段】スイッチが、ハウジング（１０）と、固定部（２２）を有する固定接点側端子（２０）と、可動接点側端子（３０）と、本体部（４１）、可動部（４２）および付勢部（４３）を有し可動接点側端子（３０）に接続されている可動接触片（４０）と、操作部（５０）と、可動部（４２）が固定部（２２）から開離したときに可動接触片（４０）に接触して弾性変形する第１弾性部（７０）と、可動部（４２）と固定部（２２）との間で可動部（４２）に対向しかつ可動部（４２）が接触可能に配置された接触部（８１）を有し、可動部（４２）が固定部（２２）に接近して接触部（８１）に接触したときに弾性変形すると共に、固定接点側端子（２０）と可動接点側端子（３０）とを電気的に接続する第２弾性部（８０）とを備える。【選択図】図２
2019008950.tif 000002
【特許請求の範囲】
【請求項１】
内部に収容部を有するハウジングと、
前記ハウジングの外部から前記収容部まで延びかつ前記ハウジングに固定されていると共に、前記収容部に配置された固定部を有する固定接点側端子と、
前記ハウジングの外部から前記収容部まで延びかつ前記固定接点側端子と並んで配置されていると共に、前記固定接点側端子に対して電気的に独立した状態で前記ハウジングに固定された可動接点側端子と、
前記収容部に配置されていると共に、前記可動接点側端子に接続されかつ前記可動接点側端子から前記固定接点側端子に向かって延びる本体部と、前記本体部に設けられていると共に前記固定部に対して接近および開離可能に対向して配置された可動部と、前記本体部に設けられていると共に前記可動部を付勢可能でありかつ前記可動部に対する付勢方向を前記可動部が前記固定部に接近する接近方向または前記可動部が前記固定部から開離する開離方向に切り換え可能な付勢部とを有する可動接触片と、
少なくとも一部が前記ハウジングの外部に露出しかつ少なくとも一部が前記収容部に位置して、前記可動接触片に接触可能かつ往復移動可能に配置されていると共に、往復移動に連動して前記付勢部の付勢方向を切り換えて、前記可動部を前記固定部に対して接近または開離させる操作部と、
前記ハウジングに固定されていると共に、付勢部の付勢力により可動部が固定部から開離したときに、前記可動接触片に接触して前記開離方向に弾性変形する第１弾性部と、
前記接近方向における前記可動部と前記固定部との間で前記可動部に対向しかつ前記可動部が接触可能に配置された接触部を有し、前記固定接点側端子または前記可動接点側端子に固定されて、前記付勢部の付勢力により前記可動部が前記固定部に接近して前記接触部に接触したときに、前記接近方向に弾性変形すると共に、前記固定接点側端子と前記可動接点側端子とを電気的に接続する第２弾性部と
を備える、スイッチ。
【請求項２】
前記第２弾性部が、
前記固定接点側端子に固定されている基部と、
前記接触部と前記基部とに連結されて、前記接近方向および前記開離方向に交差する方向に傾斜する連結部と
を有し、
前記接触部が固定接点部であると共に、前記可動部が可動接点部であり、
前記付勢部の付勢力により前記可動接点部が前記固定部に接近して前記固定接点部に接触したときに、前記連結部が前記接近方向に弾性変形するよう構成されている、請求項１のスイッチ。
【請求項３】
前記可動部が弾性部材で構成されており、
前記固定部が固定接点部であり、
前記第２弾性部が、
前記可動接点側端子に固定されている基部と、
前記接触部と前記基部とに連結されて、前記接近方向および前記開離方向に交差する方向に傾斜する連結部と
前記接触部の前記固定部に対向する部分に設けられ、前記可動部の前記固定部に対する接近に連動して前記固定接点部に接触可能に配置された可動接点部と
を有する、請求項１のスイッチ。
【請求項４】
前記第１弾性部が、前記接近方向に突出しかつ前記付勢部の付勢力により前記可動部が前記固定部から開離したときにその先端が前記可動接触片に接触する突起部を有している、請求項１から３のいずれか１つのスイッチ。
【請求項５】
前記収容部の前記第２弾性部の近傍に配置されていると共に、前記接近方向における前記固定部と前記接触部の間でかつ前記接触部が接触可能に配置された弾性突起部と、前記接近方向における前記可動部と前記接触部との間でかつ前記可動部が接触可能に配置された弾性腕部とを有する第３弾性部をさらに備える、請求項１から４のいずれか１つのスイッチ。
【発明の詳細な説明】
【技術分野】
【０００１】
本発明は、スナップアクション機構を備えたスイッチに関する。
【背景技術】
【０００２】
特許文献１には、スナップアクション式のスイッチが開示されている。このスイッチは、共通固定端子と、共通固定端子に接続されかつ可動接点を有する可動端子と、可動接点に常接される常閉接点を有する常閉固定端子と、可動接点に接続可能な常開接点を有する常開固定端子と、可動端子を付勢しかつその付勢方向を反転可能なコイルばねとを備えている。
【０００３】
前記スイッチでは、常閉接点および常開接点と可動接点とが相互に摺動接触するように構成することで、常閉接点および常開接点と可動接点とが衝突して衝突音が発生しないようにして、静粛性を備えたスナップアクション式のスイッチを実現している。
【先行技術文献】
【特許文献】
【０００４】
【特許文献１】特開２００８−２１０６５４号公報
【発明の概要】
【発明が解決しようとする課題】
【０００５】
しかし、前記スイッチでは、常閉接点および常開接点と可動接点とが相互に摺動接触するように構成されているため、可動接点、常閉接点および常開接点の消耗が激しく、所望の耐久性を得ることが難しい場合がある。
【０００６】
そこで、本発明は、耐久性および静粛性の高いスイッチを提供することを課題とする。
【課題を解決するための手段】
【０００７】
本発明の一態様のスイッチは、
内部に収容部を有するハウジングと、
前記ハウジングの外部から前記収容部まで延びかつ前記ハウジングに固定されていると共に、前記収容部に配置された固定部を有する固定接点側端子と、
前記ハウジングの外部から前記収容部まで延びかつ前記固定接点側端子と並んで配置されていると共に、前記固定接点側端子に対して電気的に独立した状態で前記ハウジングに固定された可動接点側端子と、
前記収容部に配置されていると共に、前記可動接点側端子に接続されかつ前記可動接点側端子から前記固定接点側端子に向かって延びる本体部と、前記本体部に設けられていると共に前記固定部に対して接近および開離可能に対向して配置された可動部と、前記本体部に設けられていると共に前記可動部を付勢可能でありかつ前記可動部に対する付勢方向を前記可動部が前記固定部に接近する接近方向または前記可動部が前記固定部から開離する開離方向に切り換え可能な付勢部とを有する可動接触片と、
少なくとも一部が前記ハウジングの外部に露出しかつ少なくとも一部が前記収容部に位置して、前記可動接触片に接触可能かつ往復移動可能に配置されていると共に、往復移動に連動して前記付勢部の付勢方向を切り換えて、前記可動部を前記固定部に対して接近または開離させる操作部と、
前記ハウジングに固定されていると共に、付勢部の付勢力により可動部が固定部から開離したときに、前記可動接触片に接触して前記開離方向に弾性変形する第１弾性部と、
前記接近方向における前記可動部と前記固定部との間で前記可動部に対向しかつ前記可動部が接触可能に配置された接触部を有し、前記固定接点側端子または前記可動接点側端子に固定されて、前記付勢部の付勢力により前記可動部が前記固定部に接近して前記接触部に接触したときに、前記接近方向に弾性変形すると共に、前記固定接点側端子と前記可動接点側端子とを電気的に接続する第２弾性部と
を備える。
【発明の効果】
【０００８】
前記態様のスイッチによれば、付勢部の付勢力により可動部が固定部から開離したときに、可動接触片に接触して開離方向に弾性変形する第１弾性部と、付勢部の付勢力により可動部が固定部に接近して接触部に接触したときに、接近方向に弾性変形すると共に、固定接点側端子と可動接点側端子とを電気的に接続する第２弾性部とを備えている。これにより、可動部が第２弾性部の接触部に接触したときの衝撃力に加え、可動部が第２弾性部の接触部から開離したときの衝撃力を低減させることができるので、可動部が固定部に対して接近または開離したときに発生する衝突音を低減できる。その結果、スイッチの静粛性を高めることができる。
【０００９】
また、可動部が、固定部に対して接近および開離可能に対向して配置されているので、可動部が固定部に摺動接触するスイッチと比較して、耐久性を高めることができる。
【図面の簡単な説明】
【００１０】
【図１】本発明の第１実施形態のスイッチの斜視図。
【図２】図１のスイッチのカバーを取り外した状態の斜視図。
【図３】図１のスイッチの動作を説明するための図１のIII-III線に沿った断面図。
【図４】図３のIV-IV線に沿った断面図。
【図５】図１のスイッチの第１弾性部の斜視図。
【図６】図１のスイッチの第２弾性部の斜視図。
【図７】図３に続く、図１のスイッチの動作を説明するための図１のIII-III線に沿った断面図。
【図８】図７のVIII-VIII線に沿った断面図。
【図９】図７に続く、図１のスイッチの動作を説明するための図１のIII-III線に沿った断面図。
【図１０】図９のX-X線に沿った断面図。
【図１１】図１のスイッチを備えたマウスの平面図。
【図１２】本発明の第２実施形態のスイッチのカバーおよび操作部を取り除いた状態の側面図。
【図１３】本発明の第３実施形態のスイッチのカバーおよび操作部を取り除いた状態の側面図。
【発明を実施するための形態】
【００１１】
以下、本発明の実施形態を添付図面に従って説明する。なお、以下の説明では、必要に応じて特定の方向あるいは位置を示す用語（例えば、「上」、「下」、「右」、「左」、「端」、「側」）を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１２】
（第１実施形態）
本発明の第１実施形態のスイッチ１は、図１に示すように、内部に収容部１３を有する絶縁性のハウジング１０と、ハウジング１０に固定された導電性の固定接点側端子２０および導電性の可動接点側端子３０と、操作部５０とを備えている。また、図２に示すように、スイッチ１は、収容部１３に配置された導電性の可動接触片４０と、収容部１３に配置されかつハウジング１０に固定された第１弾性部７０と、収容部１３に配置されかつ固定接点側端子２０に固定された第２弾性部８０とを備えている。操作部５０は、少なくとも一部がハウジング１０の外部に露出しかつ少なくとも一部が収容部１３に位置するように配置されている。
【００１３】
ハウジング１０は、図１に示すように、略直方体状のベース１１と、このベース１１の厚さ方向（すなわち、図１の上下方向）に相対する一対の面の一方である第１矩形面１１１を覆う略直方体状のカバー１２とで構成されている。すなわち、収容部１３は、ベース１１の第１矩形面１１１とカバー１２とで形成されている。
【００１４】
ベース１１の長手方向（すなわち、図２のＸ方向）の第１端部１１３には、可動接点側端子３０が固定され、ベース１１の長手方向の第２端部１１４には、補助端子６０が固定されている。また、ベース１１の長手方向における可動接点側端子３０および補助端子６０の間には、固定接点側端子２０が固定されている。固定接点側端子２０、可動接点側端子３０、および、補助端子６０は、ベース１１の長手方向に沿って相互に並んで配置され、かつ、相互に電気的に独立した状態でベース１１に固定されている。
【００１５】
カバー１２のベース１１の第１矩形面１１１に対向する面（すなわち、図１の上面）には、操作部５０を挿入可能な略矩形の操作孔１４が設けられている。この操作孔１４は、カバー１２をベース１１の厚さ方向（すなわち、図２のＺ方向）に貫通している。
【００１６】
固定接点側端子２０は、図２に示すように、ハウジング１０の外部からハウジング１０の収容部１３まで延びた板状の端子部２１と、端子部２１に連結されかつ収容部１３に配置された固定部２２とを有している。
【００１７】
端子部２１は、その板面が、ベース１１の短手方向に交差するように配置され、ベース１１の厚さ方向に沿って、ハウジング１０の外部から第１矩形面１１１に相対する第２矩形面１１２に向かって延びている。
【００１８】
固定部２２は、ベース１１の厚さ方向に沿って見た平面視において略矩形状を有し、端子部２１の収容部１３側の端部に設けられている。図５に示すように、この固定部２２のカバー１２に対向する上面には、第２弾性部８０を固定する略円柱状の突起２２１が設けられている。
【００１９】
可動接点側端子３０は、図２に示すように、ハウジング１０の外部からハウジング１０の収容部１３まで延びた板状の端子部３１と、端子部３１の収容部１３側の端部にそれぞれ連結されかつ互いに収容部１３の配置された第１壁部３２および第２壁部３３とを有している。
【００２０】
端子部３１は、その板面が、ベース１１の短手方向に交差するように配置されている。また、端子部３１は、図３に示すように、ベース１１の厚さ方向に沿ってハウジング１０の外部から第２矩形面１１２に向かって延びる第１端子部３１１と、第１端子部３１１の収容部１３側の端部に連結されて収容部１３で第１矩形面１１１に沿ってベース１１の長手方向に延びる第２端子部３１２とを有している。
【００２１】
第１壁部３２は、第２端子部３１２のベース１１の第１端部１１３に近い方の端部（すなわち、図３の左側の端部）に設けられ、ベース１１の短手方向に沿って延びている。この第１壁部３２には、後述する可動接触片４０の本体部４１が接続されている。第２壁部３３は、第２端子部３１２のベース１１の第２端部１１４に近い方の端部（図３の右側の端部）に設けられ、ベース１１の短手方向に沿って延びている。この第２壁部３３には、後述する可動接触片４０の板ばね部４３が接続されている。
【００２２】
可動接触片４０は、図２に示すように、本体部４１と、本体部４１に設けられた可動部４２および付勢部の一例の板ばね部４３とを有している。第１実施形態では、可動部４２は、金属製であり、可動接点部を構成している。なお、可動部４２は、金属製に限らず、導電性を有する任意の材料で構成できる。
【００２３】
本体部４１は、図２に示すように、固定接点側端子２０および可動接点側端子３０の並列方向（すなわち、ベース１１の長手方向）に延びていると共に、その延在方向の一端部が可動接点側端子３０の第１壁部３２に接続されている。
【００２４】
詳しくは、本体部４１は、ベース１１の厚さ方向に弾性変形可能な板状を有し、略矩形の第１貫通孔４１１と略矩形の第２貫通孔４１２とが設けられている。第１貫通孔４１１および第２貫通孔４１２は、本体部４１を板厚に貫通しており、ベース１１の長手方向に沿って間隔を空けて配置されている。第１貫通孔４１１の内部には、第１壁部３２が配置されており、第１貫通孔４１１のベース１１の第１端部１１３に近い方の端部が、本体部４１の可動接点側端子３０の第１壁部３２に対する接続部分４１５を構成している。
【００２５】
可動部４２は、図２に示すように、本体部４１の先端部（すなわち、本体部４１のベース１１の第２端部１１４に近い方の端部）に設けられ、固定部２２に接近する接近方向（すなわち、図２のＺ方向下向き）および固定部２２から開離する開離方向（すなわち、図２のＺ方向上向き）に移動可能に対向して配置されている。この可動部４２は、固定部２２に直接接触せず、後述する第２弾性部８０の接触部８１を介して、固定部２２に電気的に接続されるように構成されている。
【００２６】
板ばね部４３は、図２に示すように、本体部４１の延在方向の中心よりも可動部４２側に設けられ、可動部４２を付勢可能に配置されて、可動部４２に対する付勢方向を可動部４２が固定部２２に接触する接近方向または可動部４２が固定部２２から開離する開離方向に切り換え可能に構成されている。
【００２７】
詳しくは、板ばね部４３は、ベース１１の長手方向において本体部４１からベース１１に向かって突出する湾曲形状（例えば１つの円弧形状）を有し、本体部４１の第２貫通孔４１２のベース１１の第２端部１１４に近い方の第１端部４３１から、ベース１１の長手方向に沿って、可動接点側端子３０の第２壁部３３に向かって延びている。また、板ばね部４３のベース１１の第１端部１１３に近い方の第２端部４３２は、図３に示すように、ベース１１の厚さ方向において、本体部４１の第１壁部３２に対する接続部分４１５よりもベース１１の近くで、第２壁部３３に接続されている。
【００２８】
板ばね部４３の動作は、詳しくは後述するが、固定部２２から開離した状態の可動接触片４０の本体部４１が固定部２２に接近するときに、本体部４１が、ベース１１の厚さ方向において、所定の位置（すなわち、付勢方向切換位置）を超えてベース１１に接近すると、板ばね部４３の可動部４２に対する付勢方向が開離方向から接近方向に切り換わる。逆に、固定部２２に接触した状態の可動部４２が固定部２２から開離するときに、本体部４１が、ベース１１の厚さ方向において、所定の位置を超えてカバー１２に接近すると、板ばね部４３の可動部４２に対する付勢方向が接近方向から開離方向に切り換わる。
【００２９】
なお、前記スイッチ１では、本体部４１、可動部４２、および、板ばね部４３は、一体に形成されている。
【００３０】
操作部５０は、図２に示すように、ベース１１の短手方向に沿って延びる略直方体状を有している。この操作部５０は、図３に示すように、ベース１１の厚さ方向の下端部５１が、可動接触片４０の本体部４１に対して第１貫通孔４１１と第２貫通孔４１２との間で接触している一方、ベース１１の厚さ方向の上端部５２が、カバー１２の操作孔１４からハウジング１０の外部に露出している。また、操作部５０は、ベース１１の厚さ方向に往復移動可能に配置されている。
【００３１】
補助端子６０は、図２に示すように、ハウジング１０の外部からハウジング１０の収容部１３まで延びた板状の端子部６１と、端子部６１の収容部１３側の端部に連結されかつ収容部１３に配置された支持部６２とを有している。
【００３２】
端子部６１は、その板面が、ベース１１の短手方向に交差するように配置され、ベース１１の厚さ方向に沿ってハウジング１０の外部から第２矩形面１１２に向かって延びている。支持部６２は、端子部６１のベース１１の厚さ方向における収容部１３側の端部に接続され、ベース１１の厚さ方向に沿って、ベース１１の第１矩形面１１１からカバー１２に向かって突出している。
【００３３】
第１弾性部７０は、ハウジング１０に固定されていると共に、板ばね部４３の付勢力により可動部４２が固定部２２から開離したときに、可動接触片４０に接触して開離方向に弾性変形するように構成されている。
【００３４】
詳しくは、第１弾性部７０は、ゴムなどの弾性材料で構成され、図５に示すように、略直方体状の弾性部本体７１と、この弾性部本体７１の長手方向に延びる側面の一方からこの側面に直交する方向に突出する突出部７２とを有している。
【００３５】
弾性部本体７１は、図４に示すように、補助端子６０の支持部６２の先端部（すなわち、ベース１１の厚さ方向におけるカバー１２側の端部）に固定されている。すなわち、第１弾性部７０は、支持部６２を介してハウジング１０に固定されている。突出部７２は、その先端部（すなわち、弾性部本体７１から離れた端部）の可動接触片４０に対向する面に設けられた突起部７３を有している。この突起部７３は、図５に示すように、略半円柱形状を有しており、図３に示すように、突出部７２の可動接触片４０に対向する面から可動接触片４０に向かって接近方向（すなわち、図３の下向き）に突出し、かつ、板ばね部４３の付勢力により可動部４２が固定部２２から開離したときにその先端が可動接触片４０に接触するように配置されている。
【００３６】
第２弾性部８０は、導電性材料で構成され、図３に示すように、接近方向（すなわち、図３の下向き）における可動部４２と固定部２２との間で可動部４２に対向しかつ可動部４２が接触可能に配置された接触部８１を有し、固定接点側端子２０に固定されて、板ばね部４３の付勢力により可動部４２が固定部２２に接近して接触部８１に接触したときに、接近方向に弾性変形すると共に、固定接点側端子２０と可動接点側端子３０とを電気的に接続するように構成されている。
【００３７】
詳しくは、第２弾性部８０は、図６に示すように、略矩形板状の接触部８１と、固定接点側端子２０に固定されている基部８２と、接触部８１と基部８２とに連結された連結部８３とを有している。第１実施形態では、第２弾性部８０は金属で構成され、接触部８１は、金属製の固定接点部を構成している。
【００３８】
基部８２は、略矩形板状で、固定部２２の突起２２１を嵌合可能な略円形の貫通孔８２１を有している。この基部８２は、図３に示すように、ベース１１の厚さ方向において、接触部８１よりもベース１１の近くに配置されている。この貫通孔８２１に固定部２２の突起２２１を嵌合させることで、第２弾性部８０が固定接点側端子２０に固定されている。なお、基部８２は、図６に示すように、その長手方向に延びる側面が接触部８１の長手方向に延びる側面と略平行に配置されている。
【００３９】
連結部８３は、接触部８１に連結された一対の第１連結部８３１と、基部８２に連結された第２連結部８３２と、一対の第１連結部８３１および第２連結部８３２に連結された中間部８３３とで構成されている。中間部８３３は、図３に示すように、ベース１１の長手方向において、接触部８１と間に基部８２が位置するように配置されている。また、中間部８３３は、ベース１１の厚さ方向において、基部８２よりもベース１１の近くに配置されている。すなわち、第２弾性部８０は、ベース１１の厚さ方向において、接触部８１と中間部８３３の間に基部８２が位置するように構成されている。
【００４０】
各第１連結部８３１は、接触部８１の中間部８３３側の長辺の両端部から、それぞれ、可動部４２が固定部２２に対して接近または開離する方向に交差しかつベース１１に接近する方向に傾斜している。第２連結部８３２は、基部８２の中間部８３３側の長辺から、第１連結部８３１と同一方向に傾斜している。一対の第１連結部８３１と第２連結部８３２との間には、隙間８４が設けられ、板ばね部４３の付勢力により可動部４２が固定部２２に接近して接触部８１に接触したときに、連結部８３が接近方向に弾性変形するように構成されている。
【００４１】
次に、図３、図４、および、図７〜図１０を参照して、スイッチ１の動作を説明する。
【００４２】
図３および図４に示すように、操作部５０に外力が加えられていない復帰状態のスイッチ１では、可動接触片４０の可動部４２が、固定部２２から開離した復帰位置に位置して、可動接触片４０のカバー１２の内面１２１に対向する面に、第１弾性部７０の突起部７３が接触している。
【００４３】
このとき、可動接触片４０の本体部４１は、ベース１１の長手方向における幅狭部４１２側の端部が、板ばね部４３によってベース１１の厚さ方向（すなわち、図３および図４の上下方向）におけるベース１１の第１矩形面１１１から離れる第１方向Ａ１（図３に示す）に付勢され、可動部４２が、第１方向Ａ１に付勢されている。また、ベース１１の短手方向から見て、板ばね部４３の第２端部４３２を通りかつベース１１の厚さ方向に延びる仮想直線と交わる本体部４１の中間部分４１７が、板ばね部４３の第２端部４３２よりも上方（すなわち、ベース１１の厚さ方向において、板ばね部４３の第２端部４３２に対してカバー１２側）に位置している。
【００４４】
操作部５０の上端部５２に外力を加えて、ベース１１の厚さ方向におけるベース１１に接近する第２方向Ａ２（図７に示す）に操作部５０を押圧すると、可動接触片４０の本体部４１における操作部５０の下端部５１との接触点４１６近傍の領域が、第２方向Ａ２に弾性変形して、中間部分４１７が板ばね部４３の第２端部４３２に接近する。
【００４５】
このとき、板ばね部４３の本体部４１に対する付勢力は、中間部分４１７が板ばね部４３の第２端部４３２に接近するにつれて次第に小さくなっていき、図７および図８に示すように、ベース１１の短手方向（図７の左右方向）から見て、中間部分４１７と板ばね部４３の第２端部４３２とが重なる位置（すなわち、付勢方向切換位置）でゼロとなる。
【００４６】
操作部５０を第２方向Ａ２にさらに押圧すると、可動接触片４０の本体部４１における操作部５０の下端部５１との接触点５１１近傍の領域が、第２方向Ａ２にさらに弾性変形して、図９および図１０に示すように、中間部分４１７が、板ばね部４３の第２端部４３２を超えて、ベース１１に接近する。
【００４７】
このとき、中間部分４１７が板ばね部４３の第２端部４３２を超えてベース１１に接近したと同時に、板ばね部４３の本体部４１に対する付勢方向（すなわち、可動部４２に対する付勢方向）が、第１方向Ａ１（すなわち、開離方向）から第２方向Ａ２（すなわち、接近方向）に切り換わる。これにより、可動接点である可動部４２が、第２方向Ａ２に瞬時に移動し、固定接点部である第２弾性部８０の接触部８１に接触した動作位置に移動して、スイッチ１が動作状態になる。
【００４８】
その後、操作部５０の第２方向Ａ２への押圧を解除すると、弾性変形していた可動接触片４０の本体部４１が、図９および図１０に示す動作位置から図３および図４に示す復帰位置に、操作部５０と共に復帰する。
【００４９】
このとき、本体部４１の復帰力により、板ばね部４３の第２端部４３２よりも下方（すなわち、ベース１１の厚さ方向において、板ばね部４３の第２端部４３２に対してベース１１側）に位置している中間部分４１７が第１方向Ａ１に移動し、板ばね部４３の第２端部４３２を超えてカバー１２に接近したと同時に、板ばね部４３の本体部４１に対する付勢方向（すなわち、可動部４２に対する付勢方向）が、第２方向Ａ２（すなわち、接近方向）から第１方向Ａ１（すなわち、開離方向）に切り換わる。これにより、可動接点部である可動部４２が、第１方向Ａ１に瞬時に移動し、固定接点部である接触部８１から開離した復帰位置に移動して、スイッチ１が復帰状態となる。
【００５０】
すなわち、可動部４２が固定部２２に対して接近または開離するために、本体部４１の中間部分４１７と板ばね部４３の第２端部４３２とが重なった付勢方向切換位置を過ぎるとき、板ばね部４３の可動部４２に対する付勢方向が開離方向から接近方向に切り換わるか、または、接近方向から開離方向に切り換わる。
【００５１】
また、可動部４２が固定部２２から開離して復帰位置に移動したとき、図３および図４に示すように、第１弾性部７０の突起部７３が、可動接触片４０のカバー１２の内面１２１に対向する面に接触して、突出部７２が本体部４１から開離する方向に弾性変形する。
【００５２】
前記スイッチ１では、板ばね部４３の付勢力により可動部４２が固定部２２から開離したときに、可動接触片４０に接触して開離方向に弾性変形する第１弾性部７０と、板ばね部４３の付勢力により可動部４２が固定部２２に接近して接触部８１に接触したときに、接近方向に弾性変形すると共に、固定接点側端子２０と可動接点側端子３０とを電気的に接続する第２弾性部８０とを備えている。これにより、可動部４２が第２弾性部８０の接触部８１に接触したときの衝撃力に加え、可動部４２が第２弾性部８０の接触部８１から開離したときの衝撃力を低減させることができるので、可動部４２が固定部２２に対して接近または開離したときに発生する衝突音を低減できる。その結果、スイッチ１の静粛性を高めることができる。
【００５３】
例えば、図１１に示すように、前記スイッチ１でマウス１００のクリックボタンを構成した場合、可動接触部と固定接点部とが接触方向で衝突するスイッチを用いた場合と比較して、マウス１００のクリック音を約６０％以上低減させることができる。
【００５４】
また、可動部４２が、固定部２２に対して接近および開離可能に対向して配置されているので（すなわち、可動接点部である可動部４２が、固定接点部である第２弾性部８０の接触部８１に対して接触および開離可能に対向して配置されているので）、可動接点部が固定接点部に摺動接触するスイッチと比較して、耐久性を高めることができる。
【００５５】
また、第２弾性部８０が、固定接点側端子２０に固定されている基部８２と、接触部８１と基部８２とに連結されて接近方向および開離方向に交差する方向に傾斜する連結部８３とを有し、接触部８１が固定接点部であると共に、可動部４２が可動接点部であり、板ばね部４３の付勢力により可動接点部である可動部４２が固定部２２に接近して固定接点部である接触部８１に接触したときに、連結部８３が接近方向に弾性変形するよう構成されている。これにより、可動接点部である可動部４２が固定接点部である第２弾性部８０の接触部８１に衝突したときの衝突音を低減して、静粛性を高めることができる。
【００５６】
また、第１弾性部７０が、接近方向に突出しかつ板ばね部４３の付勢力により可動部４２が固定部２２から開離したときにその先端が可動接触片４０に接触する突起部７３を有している。これにより、第１弾性部７０を可動接触片４０に確実に接触させることができるので、可動部４２が第２弾性部８０の接触部８１から開離したときに発生する衝突音を低減して、静粛性を高めることができる。
【００５７】
また、第１弾性部７０は、ハウジング１０に固定されていればよく、補助端子６０の支持部６２の先端部に固定されている場合に限らない。例えば、弾性部７０をカバー１２に一体に形成してもよい。この場合、補助端子６０は省略することができる。
【００５８】
なお、可動接触片４０の本体部４１、可動部４２、および、板ばね部４３は、一体に設けられている場合に限らず、それぞれ別体で設けることができる。例えば、付勢部として、板ばね部４３の代わりにコイルばねを用いてもよい。すなわち、本発明は、前記スイッチ１に限らず、付勢部の付勢力により可動部が固定部から開離したときに、可動接触片に接触して開離方向に弾性変形する第１弾性部と、付勢部の付勢力により可動部が固定部に接近して接触部に接触したときに、接近方向に弾性変形すると共に、固定接点側端子と可動接点側端子とを電気的に接続する第２弾性部とを備えることができる任意の構成のスイッチに適用できる。
【００５９】
（第２実施形態）
本発明の第２実施形態のスイッチ１は、図１２に示すように、板ばね部４３の付勢力により可動部４２が固定部２２に接近して第２弾性部８０の接触部８１に接触した後に可動接触片４０の本体部４１と接触部８１とが接触可能な第３弾性部９０をさらに備えた点で、第１実施形態と異なっている。
【００６０】
なお、第２実施形態では、第１実施形態と同一部分に同一参照番号を付して説明を省略し、第１実施形態と異なる点について説明する。また、図１２では、操作部５０を省略している。
【００６１】
第３弾性部９０は、ゴムなどの弾性材料で構成されており、図１２に示すように、略直方体状で、補助端子６０の支持部６２と固定部２２との間でかつ支持部６２に隣接して配置されている。第３弾性部９０のカバー１２の内面１２１に対向する上面には、弾性突起部９１と、弾性腕部９２とが設けられている。
【００６２】
弾性突起部９１は、ベース１１の長手方向において第３弾性部９０の上面の固定部２２に近い方の端部に配置されて、ベース１１の厚さ方向において第２弾性部８０の接触部８１の補助端子６０側の端部に対向している。すなわち、弾性突起部９１は、板ばね部４３の付勢力により可動部４２が固定部２２に接近して第２弾性部８０の接触部８１に接触した後に、接触部８１と接触して、可動部４２の固定部２２に対する接近方向（図１２の下向き）に弾性変形するように構成されている。
【００６３】
弾性腕部９２は、支持部６２に沿って延びる縦部材９２１と、この縦部材９２１からベース１１の長手方向における固定部２２側に延びる横部材９２２とで構成され、ベース１１の長手方向において補助端子６０の支持部６２に隣接するように配置されている。横部材９２２は、ベース１１の厚さ方向に弾性変形可能であると共に、その先端部が、ベース１１の厚さ方向において可動接触片４０の本体部４１における補助端子６０に近い方の端部に対向している。すなわち、弾性腕部９２は、板ばね部４３の付勢力により可動部４２が固定部２２に接近して第２弾性部８０の接触部８１に接触した後に、可動接触片４０の本体部４１と接触して、可動部４２の固定部２２に対する接近方向（図１２の下向き）に弾性変形するように構成されている。
【００６４】
このように、第３弾性部９０を設けることで、可動接点部である可動部４２が、固定接点部である第２弾性部８０の接触部８１に接触したときの接近方向の力を低減させることができるので、可動部４２が固定部２２に接近したときに発生する衝突音を低減して、静粛性を高めることができる。
【００６５】
（第３実施形態）
本発明の第３実施形態のスイッチ１は、図１３に示すように、可動部４２が、弾性部材で構成されており、第２弾性部８０が、可動接点側端子３０に固定されていると共に、接触部８１の固定部２２に対向する部分に可動接点部８５を有している点で、第１実施形態と異なっている。
【００６６】
なお、第３実施形態では、第１実施形態と同一部分に同一参照番号を付して説明を省略し、第１実施形態と異なる点について説明する。また、図１３では、操作部５０を省略している。
【００６７】
図１３に示すように、可動接点側端子３０は、第２壁部３３のベース１１の厚さ方向（すなわち、図１３の上下方向）におけるベース１１に近い方の端部に連結された第３壁部３４を有している。この第３壁部３４は、ベース１１の長手方向に延びており、ベース１１の厚さ方向におけるカバー１２に対向する上面に突起３４１を有している。
【００６８】
なお、可動部４２を構成する弾性部材は、導電性であっても絶縁性であっても構わない。
【００６９】
第２弾性部８０は、可動部４２に対向するように配置された略矩形板状の接触部８１と、可動接点側端子３０の第３壁部３４に固定された略矩形板状の基部８６と、接触部８１および基部８６を連結する略矩形板状の連結部８７とで構成されている。
【００７０】
基部８６には、第３壁部３４の突起３４１を嵌合可能な貫通孔（図示せず）が設けられており、この貫通孔に第３壁部３４の突起３４１を嵌合させることで、第２弾性部８０が可動接点側端子３０に固定されている。なお、基部８６は、その長手方向に延びる側面が、接触部８１の長手方向に延びる側面と略平行に配置されている。
【００７１】
また、連結部８７は、接触部８１および基部８６の相互に対向する長手方向に延びる側面にそれぞれ連結され、可動部４２が固定部２２に対して接近または開離する方向（すなわち、図１３の上下方向）に交差しかつベース１１に接近する方向に傾斜している。
【００７２】
また、可動接点部８５は、金属で構成され、板ばね部４３の付勢力により可動部４２が固定部２２に接近して第２弾性部８０の接触部８１に接触した後に、固定接点部である固定部２２と接触するように構成されている。なお、可動接点部８５は、金属製に限らず、導電性を有する任意の材料で構成できる。
【００７３】
このように、可動部４２を弾性部材で構成すると共に、第２弾性部８０を可動接点側端子３０に固定して、接触部８１の固定部２２に対向する部分に可動接点部８５を設けることで、可動部４２が第２弾性部８０の接触部８１に接触して可動接点部８５が固定接点部である固定部２２に衝突したときの衝突音を低減して、静粛性を高めることができる。
【００７４】
以上、図面を参照して本発明における種々の実施形態を詳細に説明したが、最後に、本発明の種々の態様について説明する。
【００７５】
本発明の第１態様のスイッチは、
内部に収容部を有するハウジングと、
前記ハウジングの外部から前記収容部まで延びかつ前記ハウジングに固定されていると共に、前記収容部に配置された固定部を有する固定接点側端子と、
前記ハウジングの外部から前記収容部まで延びかつ前記固定接点側端子と並んで配置されていると共に、前記固定接点側端子に対して電気的に独立した状態で前記ハウジングに固定された可動接点側端子と、
前記収容部に配置されていると共に、前記可動接点側端子に接続されかつ前記可動接点側端子から前記固定接点側端子に向かって延びる本体部と、前記本体部に設けられていると共に前記固定部に対して接近および開離可能に対向して配置された可動部と、前記本体部に設けられていると共に前記可動部を付勢可能でありかつ前記可動部に対する付勢方向を前記可動部が前記固定部に接近する接近方向または前記可動部が前記固定部から開離する開離方向に切り換え可能な付勢部とを有する可動接触片と、
少なくとも一部が前記ハウジングの外部に露出しかつ少なくとも一部が前記収容部に位置して、前記可動接触片に接触可能かつ往復移動可能に配置されていると共に、往復移動に連動して前記付勢部の付勢方向を切り換えて、前記可動部を前記固定部に対して接近または開離させる操作部と、
前記ハウジングに固定されていると共に、付勢部の付勢力により可動部が固定部から開離したときに、前記可動接触片に接触して前記開離方向に弾性変形する第１弾性部と、
前記接近方向における前記可動部と前記固定部との間で前記可動部に対向しかつ前記可動部が接触可能に配置された接触部を有し、前記固定接点側端子または前記可動接点側端子に固定されて、前記付勢部の付勢力により前記可動部が前記固定部に接近して前記接触部に接触したときに、前記接近方向に弾性変形すると共に、前記固定接点側端子と前記可動接点側端子とを電気的に接続する第２弾性部と
を備える。
【００７６】
第１態様のスイッチによれば、可動部が第２弾性部の接触部に接触したときの衝撃力に加え、可動部が第２弾性部の接触部から開離したときの衝撃力を低減させることができるので、可動部が固定部に対して接近または開離したときに発生する衝突音を低減できる。その結果、スイッチの静粛性を高めることができる。
【００７７】
また、可動部が、固定部に対して接近および開離可能に対向して配置されているので、可動部が固定部に摺動接触するスイッチと比較して、耐久性を高めることができる。
【００７８】
本発明の第２態様のスイッチは、
前記第２弾性部が、
前記固定接点側端子に固定されている基部と、
前記接触部と前記基部とに連結されて、前記接近方向および前記開離方向に交差する方向に傾斜する連結部と
を有し、
前記接触部が固定接点部であると共に、前記可動部が可動接点部であり、
前記付勢部の付勢力により前記可動接点部が前記固定部に接近して前記固定接点部に接触したときに、前記連結部が前記接近方向に弾性変形するよう構成されている。
【００７９】
第２態様のスイッチによれば、可動接点部である可動部が固定接点部である第２弾性部の接触部に衝突したときの衝突音を低減して、静粛性を高めることができる。
【００８０】
本発明の第３態様のスイッチは、
前記可動部が弾性部材で構成されており、
前記固定部が固定接点部であり、
前記第２弾性部が、
前記可動接点側端子に固定されている基部と、
前記接触部と前記基部とに連結されて、前記接近方向および前記開離方向に交差する方向に傾斜する連結部と
前記接触部の前記固定部に対向する部分に設けられ、前記可動部の前記固定部に対する接近に連動して前記固定接点部に接触可能に配置された可動接点部と
を有する。
【００８１】
第３態様のスイッチによれば、可動部が第２弾性部の接触部に接触して可動接点部が固定接点部である固定部に衝突したときの衝突音をより確実に低減して、静粛性を高めることができる。
【００８２】
本発明の第４態様のスイッチは、
前記第１弾性部が、前記接近方向に突出しかつ前記付勢部の付勢力により前記可動部が前記固定部から開離したときにその先端が前記可動接触片に接触する突起部を有している。
【００８３】
第４態様のスイッチによれば、第１弾性部を可動接触片に確実に接触させることができるので、可動部が固定部から開離したときに発生する衝突音をより確実に低減して、静粛性を高めることができる。
【００８４】
本発明の第５態様のスイッチは、
前記収容部の前記第２弾性部の近傍に配置されていると共に、前記接近方向における前記固定部と前記接触部の間でかつ前記接触部が接触可能に配置された弾性突起部と、前記接近方向における前記可動部と前記接触部との間でかつ前記可動部が接触可能に配置された弾性腕部とを有する第３弾性部をさらに備える。
【００８５】
第５態様のスイッチによれば、可動部が第２弾性部の接触部に接触したときの接近方向の力をより確実に低減させることができるので、可動部が固定部に対して接近したときに発生する衝突音をより確実に低減して、静粛性を高めることができる。
【００８６】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００８７】
本発明のスイッチは、例えば、ゲーミングマウスに用いることができる。
【符号の説明】
【００８８】
１  スイッチ
１０  ハウジング
１１  ベース
１１１  第１矩形面
１１２  第２矩形面
１１３  第１端部
１１４  第２端部
１２  カバー
１２１  内面
１３  収容部
１４  操作孔
２０  固定接点側端子
２１  端子部
２２  固定部
２２１  突起
３０  可動接点側端子
３１  端子部
３１１  第１端子部
３１２  第２端子部
３２  第１壁部
３３  第２壁部
３４  第３壁部
３４１  突起
４０  可動接触片
４１  本体部
４１１  第１貫通孔
４１２  第２貫通孔
４１５  接続部分
４１６  接触点
４１７  中間部分
４２  可動部
４３  板ばね部
４３１  第１端部
４３２  第２端部
５０  操作部
５１  下端部
５１１  接触点
５２  上端部
６０  補助端子
６１  端子部
６２  支持部
７０  第１弾性部
７１  弾性部本体
７２  突出部
７３  突起部
８０  第２弾性部
８１  接触部
８２  基部
８２１  貫通孔
８３  連結部
８３１  第１連結部
８３２  第２連結部
８３３  中間部
８４  隙間
８５  可動接点部
８６  基部
８７  連結部
９０  第３弾性部
９１  弾性突起部
９２  弾性腕部
９２１  縦部材
９２２  横部材
１００  マウス
【図１】
2019008950.tif 000003
【図２】
2019008950.tif 000004
【図３】
2019008950.tif 000005
【図４】
2019008950.tif 000006
【図５】
2019008950.tif 000007
【図６】
2019008950.tif 000008
【図７】
2019008950.tif 000009
【図８】
2019008950.tif 000010
【図９】
2019008950.tif 000011
【図１０】
2019008950.tif 000012
【図１１】
2019008950.tif 000013
【図１２】
2019008950.tif 000014
【図１３】
2019008950.tif 000015